(57)【要約】      （修正有）【課題】介護者の労力を低減できるとともに、身障者本人にとっても達成感や満足感、人間としての尊厳などが得られる介護用の移乗機を提供する。【解決手段】本考案に係わる介護用の移乗機１は、身障者が立ったままの状態で乗ることができるものである。この移乗機１は、移動を容易にするための台車部５と、掴まり立ちができる本体部３を有する。台車部５には、回転可能な左右３対の車輪を有しており、前方の一対の車輪は回動可能なものであり、後方の一対の車輪にはロックできるストッパーが付いている。本体部３は、台車部５から略鉛直上方に向けて少なくとも四本の支柱１１ａ、ｂと、持ち手１３ａ、ｂ、ｄと、取り外しが可能な背凭れ７と、斜め前方を向く２枚の傾斜板９ａを有している。【選択図】  図１
0003210509.tif 000002
【実用新案登録請求の範囲】
【請求項１】
身障者が立ったままの状態で乗ることができる介護用の移乗機において、
前記介護用の移乗機は、移動を容易にするための台車部と、掴まり立ちができる本体部を有するものであり、
前記台車部は、
回転可能な複数個の車輪を有するものであり、
前記本体部は、
前記台車部から略鉛直上方に向けて少なくとも四本の支柱と、該支柱に固着されている持ち手と、取り外しが可能な背凭れと、斜め前方を向く傾斜板を有するものである
ことを特徴とする介護用の移乗機。
【請求項２】
前記車輪は、
左右３対を有しており、
前方の一対の車輪は回動可能なものであり、後方の一対の車輪にはストッパーが付いているものである
ことを特徴とする請求項１に記載の介護用の移乗機。
【請求項３】
前記背凭れは、
飲食用のテーブルとしても使用できるものである
ことを特徴とする請求項１に記載の介護用の移乗機。
【請求項４】
前記傾斜板は、
傾斜角度と寸法形状の異なる２枚の板状体であり、
やや急な傾斜角度の傾斜板は、左右に短く、傾斜方向に長い板状体であり、
やや緩やかな傾斜角度の傾斜板は、左右に長く、傾斜方向に短い板状体である
ことを特徴とする請求項１に記載の介護用の移乗機。
【請求項５】
前記やや急な傾斜角度の傾斜板は、
表面に、取り外しが可能なクッション板が装着されている
ことを特徴とする請求項４に記載の介護用の移乗機。
【考案の詳細な説明】
【技術分野】
【０００１】
本考案は、身体障害者や養護老人等の体の不自由な人が移動時に使用する介護用の移乗機に関するものである。
【背景技術】
【０００２】
ベッドからトイレなどへの日々の移動作業は、身体障害者や養護老人等の体の不自由な人（以下において、身障者という。）にとっても、その介護人にとっても苦痛であり、煩わしく、大変な作業となっている。
【０００３】
特に、介護人にとっては、移動作業ごとに身障者をベッドから抱き上げて、車椅子などに乗せて移動し、例えば、トイレに到着後、再び身障者を抱き上げて便座に着座させることを繰り返す必要がある。したがって、介護人にとって、それぞれの際の抱き上げが重労働な作業になっており、その結果、腰痛の原因にもなっている。
【０００４】
そこで、車椅子に比べて長距離の移動には適していないものの、乗り降りが容易であり、モータなどの動力を使用しない構造をした移乗機の発明が特許文献１及び特許文献２において開示されている。
【先行技術文献】
【特許文献】
【０００５】
【特許文献１】特開２０１１−１５６２５５号公報
【特許文献２】特開２０１６−１１２１５１号公報
【考案の概要】
【考案が解決しようとする課題】
【０００６】
しかしながら、上述した特許文献１及び特許文献２において開示されている移乗機は、主に介護者の労力を低減することを目的とするものである。そして、それらは主に重度な身障者を対象としており、必ずしも身障者本人にとっては達成感や満足感、人間としての尊厳などが満たされるような構造のものではない。
【０００７】
すなわち、少しでも手や足などを動かせる能力のある身障者にとっては、可能な範囲で運動ができる移乗機が望ましい。さらに移動時には、身障者の目で進行方向を向きながら移動するのが身障者にとっても自然であり、安心感を与えられるので好ましい。
【０００８】
本考案は、上記した問題点の除去を目的としており、介護者の労力を低減できるとともに、身障者本人にとっても達成感や満足感、人間としての尊厳などが得られる介護用の移乗機の提供を目的としている。
【課題を解決するための手段】
【０００９】
本考案は、身障者が立ったままの状態で乗ることができる構造をした介護用の移乗機を提供するものである。
【００１０】
請求項１に記載した考案は、身障者が立ったままの状態で乗ることができる介護用の移乗機において、
前記介護用の移乗機は、移動を容易にするための台車部と、掴まり立ちができる本体部を有するものであり、
前記台車部は、
回転可能な複数個の車輪を有するものであり、
前記本体部は、
前記台車部から略鉛直上方に向けて少なくとも四本の支柱と、該支柱に固着されている持ち手と、取り外しが可能な背凭れと、斜め前方を向く傾斜板を有するものである
ことを特徴としている。
【００１１】
請求項１に記載した考案を用いると、介護者の労力を低減できるとともに、身障者本人にとっても達成感や満足感、人間としての尊厳などが得られる介護用の移乗機を提供することができる。また、本考案に係わる介護用の移乗機は、比較的簡単な構造をしているので、壊れにくく、使いやすく、低コストで製造することができる。
【００１２】
請求項２に記載した考案は、請求項１に記載の介護用の移乗機において、
前記車輪は、
左右３対を有しており、
前方の一対の車輪は回動可能なものであり、後方の一対の車輪にはストッパーが付いているものである
ことを特徴としている。
【００１３】
請求項２に記載した考案を用いると、請求項１に記載した考案に加えて、介護者の操舵作業を楽にすることができるともに、身障者の乗降時に台車部をしっかりと床面に固定することができる。
【００１４】
請求項３に記載した考案は、請求項１に記載の移乗機において、
前記背凭れは、
飲食用のテーブルとしても使用できるものである
ことを特徴としている。
【００１５】
請求項３に記載した考案を用いると、請求項１に記載した考案に加えて、身障者や介護者にとって、コンパクトで使いやすい移乗機を提供できる。
【００１６】
請求項４に記載の考案は、請求項１に記載した考案において、
前記傾斜板は、
傾斜角度と寸法形状の異なる２枚の板状体であり、
やや急な傾斜角度の傾斜板は、左右に短く、傾斜方向に長い板状体であり、
やや緩やかな傾斜角度の傾斜板は、左右に長く、傾斜方向に短い板状体である
ことを特徴としている。
【００１７】
傾斜角度や寸法形状の異なる２枚の板状体である傾斜板を設けることによって、移動時に身障者が自然な態勢で、前方に楽な姿勢で凭れかかることができるので、安定した前傾姿勢のままで前方への移動ができる。
【００１８】
請求項５に記載の考案は、請求項４に記載した考案において、
前記やや急な傾斜角度の傾斜板は、
表面に、取り外しが可能なクッション板が装着されている
ことを特徴としている。
【００１９】
請求項５に記載した考案を用いると、やや急な傾斜角度の傾斜板にクッション板を装着することによって、身障者の膝などが、強く当たったような場合でも痛みを和らげることができる。
【考案の効果】
【００２０】
本考案に係わる介護用の移乗機を用いると、介護者の労力を低減できるとともに、身障者本人にとっても達成感や満足感、人間としての尊厳などが得られる介護用の移乗機を提供することができる。
【００２１】
また、本考案に係わる介護用の移乗機は、比較的簡単な構造をしているので、壊れにくく、使いやすく、低コストで製造することができる。
【図面の簡単な説明】
【００２２】
【図１】移乗機の全体図である。
【００２３】
（ａ）後方斜め上方から見た斜視図である。
【００２４】
（ｂ）背凭れを外した状態の斜視図である。
【図２】移乗機要部の略側面図である。
【図３】移乗機の背凭れを飲食用テーブルとして使用する場合の実施例である。
【図４】移乗機の使用状態を示す説明図である。
【００２５】
（ａ）身障者が、ベッドから起き上がって移乗機の後方部の持ち手を握り、台車部の踏み部に足を載せた状態の概略図である。
【００２６】
（ｂ）立ち上がった身障者が、移乗機の前方部の持ち手を握り、前のめりの状態になり、膝部が傾斜板と当接した状態の概略図である。
【００２７】
（ｃ）背凭れを装着した移乗機を、介護者が持ち手兼引き手を握り、前方に引いている状態の概略図である。
【考案を実施するための形態】
【００２８】
以下において、本考案に係わる身障者が立ったままの状態で乗ることができる介護用の移乗機（以下において、単に移乗機１と呼ぶ。）の一実施例について詳細に説明する（図１〜図４）。
１．移乗機
本考案に関わる移乗機１の全体図を図１に示す。この移乗機１は、身障者４１が掴まり立ちをする本体部３と、移動を容易にするための車輪２１ａ〜ｅの付いた台車部５とで構成されている。
【００２９】
図１（ａ）に図示しているように、移乗機１の進行方向、すなわち、身障者４１が立ったままの状態で見ている正面方向を前方と呼び、背凭れ７のある方向を後方と呼ぶことにする（図１、図２）。
【００３０】
本実施例では、加工や寸法形状などの設計変更が容易であり、溶接作業が不要な木材を主な構成材料として用いているが、金属板、金属棒状体、断面Ｌ字型棒材、断面Ｈ字型棒材などの金属材料や、ＦＲＰなどの繊維強化プラスチックなどを用いて製造することもできる。
２．台車部
本考案に関わる移乗機１の台車部５の詳細な構造を図２に示す。台車部５には、その板面部１０の上面部分に本体部３が設置されている。板面部１０の底面部分には、回転可能な複数個の車輪、例えば、本実施例では左右３対、計６個の車輪２１ａ〜ｆが固着されている。身障者は、板面部１０の左右の踏み部２９ａ，ｂに立ったままの状態で移乗機１の台車部５に乗れるようにした（図１（ｂ））。
【００３１】
これら計６個の車輪２１ａ〜ｆのうちで、最前方の２個の車輪２１ｅ、ｆは、回動可能なキャスター構造をしたものであり、移乗機１の進行方向を自由に変えることができるようにした。ここで、最前方の２個の車輪２１ｅ、ｆを回動可能にすることによって、介護者の操舵作業を楽にすることができる。
【００３２】
また、少なくとも左右一対の車輪、例えば、後方の２個の車輪２１ａ，ｂは、ストッパーの付いたロックできるものである。ストッパーの付いた２個の車輪２１ａ，ｂを用いることによって、身障者４１の乗降時には台車部５をしっかりと床面に固定することができる。
【００３３】
本考案者が鋭意検討した結果、このように左右３対、計６個の車輪２１ａ〜ｆを用いると、安定して移動や操舵ができることがわかった。なお、回動可能なキャスター構造をした操舵用の車輪ｅ、ｆや、ストッパーの付いた固定用の車輪ａ，ｂは、周知な構造のものを利用しているので詳細な説明については省略する。
２．本体部
本考案に関わる移乗機１の本体部３の構造について、図１及び図２を用いて詳細に説明する。この本体部３は、後述するように、身障者４１が台車部５の板面部１０上面の踏み部２９ａ，ｂに立ったままの状態で乗ることができ、掴まり立ちができる部分である（図１（ｂ）、図４）。
【００３４】
本実施例の本体部３は、台車部５の板面部１０の上面の四方を取り巻くように、略鉛直上方向に４本の支柱１１ａ〜ｄが固着されている。この４本の支柱１１ａ〜ｄには、例えば、身障者４１が移乗機１に立ち入る後方を除く三方（前方、両側方）が、９本の補強板１２ａ〜ｈによって、それぞれがしっかりと台車部５に固着されていて動かない構造になっている（図１、図２）。
【００３５】
４本の支柱１１ａ〜ｄの上端付近のそれぞれの外側には、身障者４１が握ることができる４本の持ち手１３ａ〜ｄを形成した。後述するように、身障者４１は、ベッドなどから立ち上がる際には、後方の持ち手１３ａ、ｂを握り、掴まり立ちをし、移動時には前側の持ち手１３ｃ、ｄに持ち替えて握り、掴まり立ちをすることができるようにした。なお、移動時に身障者４１は、本体部３上方に固着されている引手兼持ち手１５の部分を握り、掴まり立ちをすることもできる（図１、図２）。
【００３６】
持ち手１３ａ、ｂの後方には、取り外しが可能な背凭れ７を設けた。この背凭れ７は、後方左右一対の持ち手１３ａ、ｂに固着されている留め具１９ａ、ｂに挿入・取外しが可能なものである。この背凭れ７は、食事などの際に左右の背凭れ設置部２５ａ，ｂに載置して水平なテーブルとしても利用できる寸法形状にした（図３）。したがって、身障者４１や介護者４３にとって、コンパクトで使いやすい構造の移乗機１を提供できる。
【００３７】
身障者４１が、ベッドなどから移乗機１に乗り込む際には背凭れ７を取り外し、乗り込み後、移動時には背凭れ７を設置する。したがって、移動時に身障者４１が後方に倒れるようなことはない。
【００３８】
台車部５の板面部１０中央の後方付近から固定板２３に対して、斜め前方に向けて、やや急な傾斜角度、例えば、６５〜７５度程度で、左右に短く、傾斜方向に長い板状の傾斜板９ｂを設けた。傾斜板９ｂの左右方向の寸法を短くしているので、板面部１０に左右の踏み部２９ａ，ｂを形成できる。
【００３９】
また、本体部３上部の背凭れ設置部２５ａ，ｂと固定板２３との間には、斜め前方に向けて、例えば、６０〜６５度程度のやや緩やかな傾斜角度であり、左右に長く、傾斜方向に短い板状の傾斜板９ａを設けた。
【００４０】
加えて、身障者４１の膝付近と当接する傾斜板９ｂの下方の表面には、例えば、面ファスナーを用いることによって、取り外しが可能なウレタン製などのクッション板１７を装着した。傾斜板９ｂにクッション板１７を装着することによって、仮に身障者４１の膝などが、強く当たったような場合でも痛みを和らげることができる（図１（ｂ））。
【００４１】
このように、傾斜角度や寸法形状の異なる２枚の板状体である傾斜板９ａ、ｂを設けることによって、移動時に身障者４１が自然な態勢で掴まり立ちをし、前方に楽な姿勢で凭れかかることができるので、安定した状態で前方への移動ができる。すなわち、移動時には、身障者の目で進行方向を向きながら移動するので自然な姿であり、安心感も与えられる。
【００４２】
また、背凭れ７をテーブルとして利用する使用する際には、緩やかな傾斜角度を有する傾斜板９ａは、図示されていない文庫本や雑誌等を見やすい角度に傾けた状態で置くことができる機能も有している（図３）。したがって、コンパクトで使いやすい移乗機を提供できる。
３．移乗機の使用方法
本考案に係わる身障者が立ったままの状態で乗ることができる移乗機１の使用方法について説明する（図４）。なお、本考案に関わる移乗機１は、少しでも手や足などが動かせる能力のある身障者４１を対象としており、可能な範囲で運動ができるようにしたものである。
【００４３】
本考案の移乗機１をベッド３１に接近させた状態とし、例えば、後方の車輪２１ａ，ｂを図示されていないストッパーでロックして固定する。ベッド３１に横たわっている身障者４１は自力で、又は、介護者４３の助力を受けて起き上がり、足を移乗機１の台車部５の踏み部２９ａ，ｂに入れ、後方の持ち手１３ａ，ｂを両手で握る（図４（ａ））。
【００４４】
身障者４１は自力で、又は、介護者４３の助力を受けて立ち上がり、移乗機１の後方の持ち手１３ａ，ｂから、前方の持ち手１３ｃ，ｄに両手を持ち替えて握って掴まり立ちをする。なお、身障者４１は、移乗機１の持ち手１３ｃ，ｄに替えて、より前方に位置する持ち手兼引き手１５を握ることもできる。この状態で身障者４１の膝近傍や腰近傍は、傾斜板９ａ，ｂやクッション板１７と当接し、身障者４１は安定したやや前傾姿勢になっている（図４（ｂ））。
【００４５】
また、身障者４１の膝付近と当接する傾斜板９ｂの下方部分には、ウレタン製などのクッション板１７を設けているので、仮に身障者４１がよろめいて膝などが強く当たったような場合でも痛みを与えなくすることができる（図１（ｂ））。
【００４６】
介護者４３は、上述した背凭れ７を一対の背凭れ設置部２５ａ，ｂに装着する。この背凭れ７によって、身障者４１は後方に倒れるようなことはない。介護者４３は、持ち手兼引き手１５を握り、身障者４１を乗せた移乗機１を前方に引いていきトイレなどに移動することができる（図４（ｃ））。
【００４７】
そして、トイレなどに移動した身障者４１は、上述した逆の手順で便器などに腰を降ろすことができる。
【００４８】
上述したように、本考案に係わる移乗機１を用いると、少しでも手や足などが動かせる能力のある身障者４１は、移動時に自分の目で進行方向を向きながら、安心した状態で、自然に移動をすることができる。また、身障者４１が可能な範囲で自分の意志で動くことや適度な運動もできるので、身障者４１本人の尊厳も維持することができる。
【００４９】
加えて、本考案に係わる移乗機１は、複雑な制御装置を用いておらず、使いやすく、また比較的簡単な構造をしているので壊れにくく、低コストで製造することができる。
【産業上の利用可能性】
【００５０】
本考案は、身体障害者や養護老人等の体の不自由な人が、ベッドからトイレなどへ移動する際の移乗機として利用することができる。
【符号の説明】
【００５１】
１  移乗機
３  本体部
５  台車部
７  背凭れ
９ａ，ｂ  傾斜板
１０  板面部
１１ａ〜ｄ  支柱
１２ａ〜ｈ  補強板
１３ａ〜ｄ  持ち手
１５  持ち手兼引き手
１７  クッション板
１９ａ，ｂ  留め具
２１ａ〜ｆ  車輪
２３  固定板
２５ａ，ｂ  背凭れ設置部
２７  マグカップ
２９ａ，ｂ  踏み部
３１  ベッド
４１  身障者
４３  介護者
【図１】
0003210509.tif 000003
【図２】
0003210509.tif 000004
【図３】
0003210509.tif 000005
【図４】
0003210509.tif 000006